(57)【要約】【課題】可動レンズ部を固定可能なレンズユニット、交換レンズ、カメラシステムを提供する。【解決手段】ロックピン３１に、突出した鍔部３１ａを設け、この鍔部３１ａにゴム製のロックピンゴム４１を接着固定する。ロックピン３１には、係合溝３１ｂを設け、この係合溝３１ｂに、ブレ補正動作スイッチ１８を連動部材を介して係合させる。ロックピン３１は、ロックピン付勢バネ３２によりロック方向に付勢する。ロック状態では、ロックピンゴム４１は、ロックピン付勢バネ３２により係合孔１７４方向に付勢されて可動レンズ枠１７に当接される。【選択図】図４
2007199293.tif 000002
【特許請求の範囲】
【請求項１】
移動可能な可動レンズ部と、
前記可動レンズ部に対して接触する接触位置と、前記可動レンズ部に接触しない退避位置との間を移動可能な移動部材と、
前記接触位置で前記移動部材を前記可動レンズ部に対して付勢する付勢部材と、
を備え、
前記移動部材と前記可動レンズ部とが接触する部分の一方には、凹部が設けられ、他方には、前記凹部と対向する接触面を有した弾性部材が設けられており、
前記弾性部材は、前記付勢部材による付勢力によって変形することにより前記接触面よりも前記凹部内に一部が入り込むこと、
を特徴とするレンズユニット。
【請求項２】
請求項１に記載のレンズユニットにおいて、
前記移動部材は、前記凹部内に挿入されることにより前記可動レンズ部の移動を制限するロック位置と前記ロック位置から退避した非ロック位置との間を移動するロック部材であり、
前記弾性部材は、前記ロック部材に取り付けられていること、
を特徴とするレンズユニット。
【請求項３】
凹部を備え、移動可能な可動レンズ部と、
前記凹部内に挿入されることにより前記可動レンズ部の移動を制限するロック位置と前記ロック位置から退避した非ロック位置との間を移動するロック部材と、
前記ロック部材に取り付けられ、前記ロック部材が前記ロック位置にあるときに前記可動レンズ部に対して接触する接触位置と、前記ロック部材が前記非ロック位置にあるときに前記可動レンズ部に接触しない退避位置との間を移動可能な弾性部材と、
前記接触位置で前記弾性部材を前記可動レンズ部に対して付勢する付勢部材と、
を備えるレンズユニット。
【請求項４】
請求項３に記載のレンズユニットにおいて、
前記弾性部材は、前記付勢部材による付勢力によって変形することにより前記凹部と前記ロック部材との間に生じる隙間に入り込むこと、
を特徴とするレンズユニット。
【請求項５】
請求項１から請求項４までのいずれか１項に記載のレンズユニットにおいて、
前記弾性部材は、ゴムにより形成されていること、
を特徴とするレンズユニット。
【請求項６】
請求項２から請求項５までのいずれか１項に記載のレンズユニットにおいて、
前記可動レンズ部は、光軸に直交する方向に移動可能であり、
前記ロック部材が前記ロック位置にあるとき、前記ロック部材は、前記光軸と直交する方向で前記凹部と係合し、前記弾性部材は、前記光軸に沿った方向で前記付勢部材により付勢されて前記可動レンズ部に対して接触すること、
を特徴とするレンズユニット。
【請求項７】
請求項１から請求項６までのいずれか１項に記載のレンズユニットにおいて、
前記可動レンズ部は、移動することにより像のブレを補正するブレ補正レンズを含むこと、
を特徴とするレンズユニット。
【請求項８】
請求項１から請求項７までのいずれか１項に記載のレンズユニットと、
前記レンズユニットをカメラに対して取り付けるマウント部と、
を備える交換レンズ。
【請求項９】
請求項１から請求項７までのいずれか１項に記載のレンズユニットを含むカメラシステム。
【発明の詳細な説明】
【技術分野】
【０００１】
本発明は、ブレ補正動作時等に移動する可動レンズの移動を制限可能なレンズユニット、交換レンズ、カメラシステムに関するものである。
【背景技術】
【０００２】
撮影光学系の一部であるブレ補正レンズを移動可能な可動レンズ部として、このブレ補正レンズを撮影光学系の光軸に略直交する平面に沿った方向に移動して像ブレを補正するレンズユニットを有した交換レンズ、カメラシステムが知られている。
このようなレンズユニット等では、ブレ補正動作を行わないときには、ブレ補正レンズの破損防止と、撮影中にブレ補正レンズが移動してしまうこと等による光学性能の劣化防止のために、ブレ補正レンズを光軸付近に固定（ロック）することが行われている。
特許文献１には、ラッチソレノイドを使用したロック機構が開示されており、ロック部材のロックピンと保持部材に設けてある係合孔とを係合させて、ブレ補正レンズの移動を制限している。
【０００３】
しかし、特許文献１のようなロック機構では、ロックピン及び係合孔について、寸法公差を許容する必要があり、ロック状態であってもこの寸法公差による隙間があり、この隙間分だけブレ補正レンズが移動してしまう恐れがあった。したがって、撮影装置のわずかな機械的振動等（例えば、一眼レフカメラにおけるミラー及びシャッター等によるショック）が伝わり、ロック状態であっても、ロック範囲内でブレ補正レンズが移動してしまい、光学性能が劣化するという問題があった。
【特許文献１】特開２００４−２０５６０６号公報
【発明の開示】
【発明が解決しようとする課題】
【０００４】
本発明の課題は、可動レンズ部を固定可能なレンズユニット、交換レンズ、カメラシステムを提供することである。
【課題を解決するための手段】
【０００５】
本発明は、以下のような解決手段により、前記課題を解決する。なお、理解を容易にするために、本発明の実施例に対応する符号を付して説明するが、これに限定されるものではない。
請求項１の発明は、移動可能な可動レンズ部（２，１７）と、前記可動レンズ部に対して接触する接触位置と、前記可動レンズ部に接触しない退避位置との間を移動可能な移動部材（３１）と、前記接触位置で前記移動部材を前記可動レンズ部に対して付勢する付勢部材（３２）と、を備え、前記移動部材と前記可動レンズ部とが接触する部分の一方には、凹部（１７４）が設けられ、他方には、前記凹部と対向する接触面を有した弾性部材（４１）が設けられており、前記弾性部材は、前記付勢部材による付勢力によって変形することにより前記接触面よりも前記凹部内に一部が入り込むこと、を特徴とするレンズユニットである。
請求項２の発明は、請求項１に記載のレンズユニットにおいて、前記移動部材は、前記凹部（１７４）内に挿入されることにより前記可動レンズ部の移動を制限するロック位置と前記ロック位置から退避した非ロック位置との間を移動するロック部材（３１）であり、前記弾性部材（４１）は、前記ロック部材に取り付けられていること、を特徴とするレンズユニットである。
請求項３の発明は、凹部（１７４）を備え、移動可能な可動レンズ部（２，１７）と、前記凹部内に挿入されることにより前記可動レンズ部の移動を制限するロック位置と前記ロック位置から退避した非ロック位置との間を移動するロック部材（３１）と、前記ロック部材に取り付けられ、前記ロック部材が前記ロック位置にあるときに前記可動レンズ部に対して接触する接触位置と、前記ロック部材が前記非ロック位置にあるときに前記可動レンズ部に接触しない退避位置との間を移動可能な弾性部材（４１）と、前記接触位置で前記弾性部材を前記可動レンズ部に対して付勢する付勢部材（３２）と、を備えるレンズユニットである。
請求項４の発明は、請求項３に記載のレンズユニットにおいて、前記弾性部材（４１）は、前記付勢部材（３２）による付勢力によって変形することにより前記凹部（１７４）と前記ロック部材（３１）との間に生じる隙間に入り込むこと、を特徴とするレンズユニットである。
請求項５の発明は、請求項１から請求項４までのいずれか１項に記載のレンズユニットにおいて、前記弾性部材（４１）は、ゴムにより形成されていること、を特徴とするレンズユニットである。
請求項６の発明は、請求項２から請求項５までのいずれか１項に記載のレンズユニットにおいて、前記可動レンズ部（２，１７）は、光軸に直交する方向に移動可能であり、前記ロック部材（３１）が前記ロック位置にあるとき、前記ロック部材は、前記光軸と直交する方向で前記凹部（１７４）と係合し、前記弾性部材は、前記光軸に沿った方向で前記付勢部材（３２）により付勢されて前記可動レンズ部に対して接触すること、を特徴とするレンズユニットである。
請求項７の発明は、請求項１から請求項６までのいずれか１項に記載のレンズユニットにおいて、前記可動レンズ部（２，１７）は、移動することにより像のブレを補正するブレ補正レンズ（２）を含むこと、を特徴とするレンズユニットである。
請求項８の発明は、請求項１から請求項７までのいずれか１項に記載のレンズユニットと、前記レンズユニットをカメラ（２００）に対して取り付けるマウント部（１９）と、を備える交換レンズ（１００）である。
請求項９の発明は、請求項１から請求項７までのいずれか１項に記載のレンズユニットを含むカメラシステムである。
なお、符号を付して説明した構成は、適宜改良してもよく、また、少なくとも一部を他の構成物に代替してもよい。
【発明の効果】
【０００６】
本発明によれば、凹部と弾性部材とを設けたので、可動レンズ部を確実に固定できる。
【発明を実施するための最良の形態】
【０００７】
可動レンズ部を固定するという目的を、凹部と弾性部材とを設けることにより実現した。
【実施例】
【０００８】
図１は、実施例のカメラシステムの概要を説明する図である。
実施例のカメラシステムは、交換レンズ１００と、この交換レンズ１００が着脱可能なカメラ本体２００とを有している。
交換レンズ１００は、振れ検出センサ１１，１２と、ブレ補正レンズ２、ブレ補正アクチュエータ１３，１４、レンズ位置検出センサ１５，１６、可動レンズ枠１７と、ブレ補正動作スイッチ１８、マウント部１９等を有している。なお、ブレ補正レンズ２、ブレ補正アクチュエータ１３，１４、レンズ位置検出センサ１５，１６、可動レンズ枠１７が、ブレ補正レンズユニットを構成している。交換レンズ１００は、マウント部１９によりカメラ本体２００に対して着脱自在となっている。
カメラ本体２００は、レリ−ズスイッチ２０１の他、不図示の撮像部等を有している。
【０００９】
振れ検出センサ１１，１２は、ジャイロセンサ等の角速度センサにより形成された振れ検出部である。振れ検出センサ１１，１２は、ブレ補正レンズ２の光軸Ｚに略垂直な面内で直交する２方向の検出軸（Ｘ軸，Ｙ軸）まわりの角速度を検出するようになっており、レリ−ズスイッチ２０１の操作時に、これら２方向各々の加速度成分を出力する。Ｙ軸まわりの振れは、ヨーイング（Ｙａｗ）と呼ばれ、Ｘ軸まわりの振れは、ピッチング（Ｐｉｔｃｈ）と呼ばれ、ブレ補正動作は、通常、この２方向の振れに起因する像ブレを補正することにより行われる。
【００１０】
ブレ補正レンズ２は、撮影光学系の一部を形成し、光軸Ｚに略直交する面内で撮影光学系の焦点面に配置された不図示の撮影部（撮像素子、又は、フィルム）に対して、撮影者の手振れ等による振れに起因する被写体像の像ブレを打ち消す方向に移動することにより、撮影部における像ブレを補正するブレ補正レンズである。
可動レンズ枠１７は、ブレ補正レンズ２を移動可能な状態に保持する部材である。ブレ補正レンズ２が可動レンズ枠１７に組み付けられて、光軸に略直交する面内で移動可能な可動レンズ部となっている。可動レンズ枠１７には、後述のロック機構により使用される凹部である係合孔１７３，１７４（図２参照）が設けられている。なお、可動レンズ枠１７は、実際には、ブレ補正レンズ２が直接取り付けられている中央部分と、この中央部分がねじ込まれると共に、後述のコイル１３１，１４１（図２参照）等が設けられている周辺部分とに分かれているが、本実施例の説明では、簡単のため、これらを合わせて可動レンズ枠１７として説明を行う。
ブレ補正アクチュエータ１３，１４は、ブレ補正レンズ２及び可動レンズ枠１７を移動させる駆動力を発生する駆動部であり、Ｘ軸方向駆動用、Ｙ軸方向駆動用に分けて配置されている。なお、本実施例では、ブレ補正アクチュエータ１３，１４にボイスコイルモータを使用している。
【００１１】
レンズ位置検出センサ１５，１６は、ブレ補正レンズ２及び可動レンズ枠１７の位置を検出する位置センサであり、Ｘ軸方向の位置検出用、Ｙ軸方向の位置検出用に分けて配置されている。
ブレ補正動作スイッチ１８は、ブレ補正動作を行うか否かを選択するときに撮影者が手動で操作する操作部材である。具体的には、ブレ補正動作を行うＯＮ位置、及び、ブレ補正動作を行わないＯＦＦ位置が設けられており、後述のロックピン３１を移動させるとともに、電気的にブレ補正動作のＯＮ／ＯＦＦを不図示の制御部に伝える。
ブレ補正動作では、振れ検出センサ１１，１２による振れの検出結果に基づいて、不図示の演算部によりブレ補正レンズ２の駆動方向及び駆動量を算出し、その算出結果に従いブレ補正アクチュエータ１３，１４及びレンズ位置検出センサ１５，１６を用いてブレ補正レンズ２を駆動制御して、像ブレの補正を行う。
【００１２】
図２は、ブレ補正レンズ２及び可動レンズ枠１７を被写体側から見た図である。
図３は、ブレ補正レンズユニットを図２中に示したＡＡ断面で切断した断面図である。
図４は、ブレ補正レンズユニットを図２中に示したＢＢ断面で切断した断面図である。図４（ａ）は、手動ロック機構のロック解除状態を示し、図４（ｂ）は、手動ロック機構のロック状態を示している。
可動レンズ枠１７は、ブレ補正アクチュエータ１３，１４によってＸ方向及びＹ方向に駆動される。この可動レンズ枠１７には、２つのコイル１３１，１４１が固定されている。
【００１３】
ブレ補正アクチュエータ１３は、前ヨーク１３５、前マグネット１３４、コイル１３１、後マグネット１３２、後ヨーク１３３により構成されているボイスコイルモータである。
前ヨーク１３５は、不図示のベース部材に固定されており、前マグネット１３４は、前ヨーク１３５上に、自己の磁力により固定されている。
後ヨーク１３３は、不図示のベース部材に固定されており、後マグネット１３２は、後ヨーク１３３上に、自己の磁力により固定されている。
コイル１３１は、前マグネット１３４と後マグネット１３２との間に配置されている。
これらの構成を有したブレ補正アクチュエータ１３は、コイル１３１に電流を流すことにより、コイル１３１にＹ方向に力を受けて、ブレ補正レンズ２及び可動レンズ枠１７を駆動することができる。
なお、ブレ補正アクチュエータ１４についても、駆動方向がＸ方向である他は、ブレ補正アクチュエータ１３と同様な構成を有している。
【００１４】
ブレ補正レンズ２及び可動レンズ枠１７の位置を検出するためのレンズ位置検出センサ１５は、可動レンズ枠１７に形成されたスリット１７１と、ＬＥＤ（Light Emitting Diode）１５１と、ＰＳＤ（Position Sensitive Detector）１５２とにより構成されている。
ＬＥＤ１５１は、可動レンズ枠１７に固定されている。
ＰＳＤ１５２は、不図示の電気基板に固定されている。
ＬＥＤ１５１から発せられる光は、スリット１７１を通り、ＰＳＤ１５２に達する。
従って、ブレ補正レンズ２及び可動レンズ枠１７の移動により、ＰＳＤ１５２に達する光の位置が移動し、ＰＳＤ１５２の出力信号が変化する。この信号によりブレ補正レンズ２及び可動レンズ枠１７の図２におけるＹ方向の位置を検出することができる。
また、レンズ位置検出センサ１６は、上述のレンズ位置検出センサ１５と同様な構成により、ブレ補正レンズ２及び可動レンズ枠１７の図２におけるＸ方向の位置を検出することができる。
【００１５】
可動レンズ枠１７は、ガイド軸３にフック部１７ａ，１７ｂで係合しており、可動レンズ枠１７は、ガイド軸３に対して、ガイド軸３の長手方向に移動自在である。このガイド軸３は、不図示のガイドアームに回転自在に支持されている。ガイドアームは、不図示のベース部材のベース軸に、その軸回りに回転自在に固定されリンク機構を構成している。
従って、可動レンズ枠１７は、ガイド軸３により光軸まわりの回転が規制されているが、ガイド軸３の長手方向に移動可能であり、しかも、ガイド軸３がその長手方向と略直交する方向に変位可能であるので、Ｘ方向，Ｙ方向の両方向に、移動可能である。
なお、ブレ補正レンズ２及び可動レンズ枠１７は、不図示の摺動部に対して不図示のバネにより当てつけられて、光軸方向の位置が規制されている。
従って、ブレ補正レンズ２及び可動レンズ枠１７は、低負荷でしかもなめらかに移動可能な状態で、光軸方向に浮くことなく保持されている。
【００１６】
本実施例のブレ補正レンズユニットは、ブレ補正レンズ２及び可動レンズ枠１７をロックするロック機構として、電動ロック機構２０と、手動ロック機構３０との２種類を備えている。
電動ロック機構２０は、ロックピン２７，ロックピン付勢バネ２６，ロックレバー２５及びラッチソレノイド２４を有している。
ロックピン２７は、ロックピン保持枠５１に対して嵌合しており、光軸に略平行な方向に移動可能である。ロックピン２７は、ロックピンつば部２７ａを有しており、ロックピン保持枠５１とロックピンつば部２７ａの間に設けられたロックピン付勢バネ２６で、ロック解除の方向に付勢されている。
【００１７】
ラッチソレノイド２４は、双安定状態をもつロックアクチュエータであり、動作させる瞬間だけ通電すれば、その後通電を止めても、ロック解除状態、ロック状態の２状態のいずれかを保持するようになっており、プランジャー２４ａは、電流を流すことによりこれら２状態の間を移動可能である。ラッチソレノイド２４は、ロックピン保持枠５１に固定されている。
ロックレバー２５は、ロックピン保持枠５１に回転中心５１ｇを中心として回転自在に取り付けられている伝達部材であり、突起２５ｂは、ロックピンつば部２７ａと係合しており、もう一方の突起２５ａは、プランジャー２４ａと係合している。ロックレバー２５は、ラッチソレノイド２４の駆動方向と駆動位置とを変更してロックピン２７へ伝える。
【００１８】
電動ロック機構２０のロック動作時は、ラッチソレノイド２４に通電することにより、プランジャー２４ａがラッチソレノイド２４側へ引き込まれ、ロックレバー２５を介してロックピン２７を係合孔１７３内に挿入させる。
ロック解除動作時は、ラッチソレノイド２４にロック動作時とは逆に通電することにより、プランジャー２４ａがラッチソレノイド２４側へ引き込まれる力が弱められ、ロックピン付勢バネ２６がロックピン２７を係合孔１７３内から退避する方向に移動させる。
【００１９】
手動ロック機構３０は、ロックピン３１、ロックピンゴム４１、ロックピン付勢バネ３２を備えている。
ロックピン３１は、先端が円錐状に形成された軸状のロック部材（移動部材）であり、ロックピン保持枠５１により光軸方向に移動可能に支持されている。ロックピン３１は、ブレ補正レンズ２及び可動レンズ枠１７の移動を制限するロック位置と、このロック位置から退避した非ロック位置との間を移動可能である。
また、ロックピン３１には、突出した鍔部３１ａを有し、この鍔部３１ａにゴム製のロックピンゴム４１が接着固定されている。ロックピンゴム４１は、ロックピン３１とともに移動することにより、可動レンズ枠１７に対して接触する接触位置と、ロックピン３１が非ロック位置にあるときに可動レンズ枠１７に接触しない退避位置との間を移動可能となっている。
【００２０】
さらに、ロックピン３１には、係合溝３１ｂが設けられており、この係合溝３１ｂには、ブレ補正動作スイッチ１８が不図示の連動部材を介して係合している（係合状態は、図示せず）。
ロックピン付勢バネ３２は、ロックピン保持枠５１と鍔部３１ａとの間に設けられており、ロックピン３１を可動レンズ枠１７の係合孔１７４方向（ロック位置方向）へ付勢している。
手動ロック機構３０は、ブレ補正動作スイッチ１８が撮影者により操作されると、これと連動してロックピン３１が移動して、ロック位置とロック解除位置とが切り替わる。すなわち、ブレ補正動作スイッチ１８がブレ補正動ＯＮの位置では、ロックが解除され、ブレ補正動作スイッチ１８がブレ補正動ＯＦＦの位置では、ロック状態となる。
【００２１】
ここで、電動ロック機構２０と、手動ロック機構３０との２種類のロック機構を設けた理由について説明する。
ブレ補正機構を備えた交換レンズであっても、ロック機構を１つだけ有しているものが多数ある。電動ロック機構２０は、ロック機構を１つだけ有した交換レンズのロック機構において用いられているものと同様な働きを有している。まず、この電動ロック機構２０の動作について説明する。
【００２２】
カメラシステムの電源が投入されていても、レリーズスイッチ２０１が半押しされていない状態では、電動ロック機構２０は、ロック状態となっている。そして、レリ−ズスイッチ２０１が半押しされると、カメラシステムは、撮影準備動作を開始するが、このとき、ブレ補正動作スイッチ１８がＯＮとなっていれば、ラッチソレノイド２４へ通電され、ロック解除状態となり、ブレ補正レンズ２が駆動されてブレ補正動作を行う。なお、ブレ補正動作スイッチ１８がＯＦＦの場合には、ブレ補正動作を行わないのであるから、電動ロック機構２０は、ロック状態を維持する。
その後、レリ−ズスイッチ２０１の半押しが解除されると、ブレ補正レンズ２及び可動レンズ枠１７がロック位置に駆動された後にラッチソレノイド２４へ通電され、ロック状態となる。また、レリーズスイッチ２０１が全押しされると、センタリング動作後にブレ補正動作が行われ、撮影が実行される。
【００２３】
このように、電動ロック機構２０のみでも、ブレ補正レンズ２及び可動レンズ枠１７の可動範囲を特定の範囲に制限することは可能である。しかし、ロックピン２７の外径と係合孔１７３の内径とには、寸法公差を許容する必要があり、ロック状態であってもこの寸法公差による隙間が必ず生じる。
また、電動ロック機構２０は、ラッチソレノイド２４の駆動力によりロックピン２７を係合孔１７３に挿入するが、この駆動力は、ラッチソレノイド２４を小型化するために、あまり大きな力を発生できない。また、ブレ補正レンズ２及び可動レンズ枠１７が光軸に直交する面内で駆動制御されるとき、制御の精度上、これらの停止位置がばらつくおそれもある。したがって、ラッチソレノイド２４の駆動力が小さくても、ロックピン２７が係合孔１７３に確実に挿入できるように、係合孔１７３の内径は、ロックピン２７の外径に対して余裕を持たせて大きめにする必要がある。
【００２４】
このように、寸法公差上、及び、停止位置の精度上の理由から、係合孔１７３の内径は、ロックピン２７の外径に対して大きくなっている。よって、電動ロック機構２０によってロック状態となっていても、ロックピン２７と係合孔１７３との間には、隙間が生じており、この隙間分だけ、ブレ補正レンズ２及び可動レンズ枠１７は、移動可能（位置不定）となっている。
【００２５】
電動ロック機構のみを備えた交換レンズでは、電動ロック機構によるロック状態でのブレ補正レンズの移動可能な量が撮影像に悪影響を及ぼさない撮影光学系を備えている。具体的には、電動ロック機構によるロック状態での隙間分だけ、撮影時にブレ補正レンズが移動したとしても、撮像面上での被写体像の移動（ブレ）が十分に小さく、得られる撮影画像に影響がないような撮影光学系となっている。
【００２６】
しかし、撮影光学系のレンズ構成によっては、電動ロック機構によるロック状態でのブレ補正レンズの移動可能な量だけブレ補正レンズが移動してしまうと、得られる撮影画像に悪影響が発生するものもある。そのような撮影光学系では、ブレ補正動作を行わない場合に電動ロック機構によりロック状態となっていても、一眼レフカメラにおけるミラー及びシャッター等による衝撃によって機械的振動がブレ補正レンズに伝わると、この振動により撮影途中にブレ補正レンズが移動して撮影画像に像ブレが生じてしまう。
【００２７】
そこで、本実施例では、電動ロック機構２０に加えて、手動ロック機構３０を追加している。手動ロック機構３０は、上述したように、ロックピン３１がブレ補正動作スイッチ１８と不図示の連動部材を介して機械的に係合している。よって、ロックピン３１は、撮影者がブレ補正動作スイッチ１８を操作する操作力によって駆動されることとなる。この撮影者による手動の駆動力は、ラッチソレノイド２４による駆動力に比べて非常に大きな力となっている。したがって、ロックピン３１と係合孔１７４との中心位置が多少ずれていたとしても、ロックピン３１の先端が円錐状に形成されていることから、容易にロック状態に切り替わることができる。すなわち、ロックピン３１がロック方向へ駆動されることにより、ロックピン３１の先端の円錐面に係合孔１７４の内周が当接し、ブレ補正レンズ２及び可動レンズ枠１７の位置が強制的に修正されて、手動ロック機構３０によるロックが行われる。
【００２８】
このような理由から、手動ロック機構３０では、ロックピン３１と係合孔１７４との間の隙間を設定するに当たり、ブレ補正レンズ２及び可動レンズ枠１７の停止位置のばらつきについては考慮する必要がない。よって、手動ロック機構３０では、電動ロック機構２０に比べて、ロック状態におけるブレ補正レンズ２及び可動レンズ枠１７の移動可能な範囲をより狭い範囲に制限することができる。
したがって、ブレ補正動作を行わないときには、ブレ補正動作スイッチ１８をブレ補正動作ＯＦＦの位置にセットすることにより、ブレ補正レンズ２及び可動レンズ枠１７の移動可能な範囲を非常に狭い範囲（電動ロック機構２０による制限範囲よりも狭い範囲）に制限して、ブレ補正動作を行わないときの撮影画像の品質劣化を防止している。
【００２９】
しかし、手動ロック機構３０のロック状態であっても、ロックピン３１と係合孔１７４との間には、寸法公差上の隙間が存在している。寸法公差上の隙間は、ごくわずかなものであり、多くの撮影光学系では、撮影中にこの隙間分だけブレ補正レンズ及び可動レンズ枠が移動しても得られる撮影画像に大きな像ブレは生じない。しかし、撮影光学系のレンズ構成によっては、この寸法公差によるわずかな隙間によるブレ補正レンズ２及び可動レンズ枠１７の移動が、撮影画像上に像ブレとして現れてしまうような場合がある。また、より高いレベルで撮影画像の品質を求める場合にも、この寸法公差によるわずかな隙間によるブレ補正レンズ２及び可動レンズ枠１７の移動を制限することが望ましい。
【００３０】
そこで、本実施例の手動ロック機構３０では、ロックピンゴム４１をロックピン３１の鍔部３１ａに設けている。
図５は、本実施例の手動ロック機構３０のロック状態における係合孔１７４付近を拡大した図である。
図６は、図５中に示した範囲Ｃをさらに拡大して模式的に示した図である。
手動ロック機構３０のロック状態では、ロックピンゴム４１がロックピン付勢バネ３２によりロックピン３１を介して係合孔１７４方向（ロック位置方向）へ付勢されて、可動レンズ枠１７に当接している。このとき、ロックピンゴム４１は、可動レンズ枠１７との接触面よりも突出して変形した変形部４１ａがロックピン３１と係合孔１７４との間にある隙間に入り込んでいる。よって、手動ロック機構３０のロック状態では、ロックピン３１と係合孔１７４との間の隙間は、ロックピンゴム４１によって埋められ、ブレ補正レンズ２及び可動レンズ枠１７の位置が不定となることなく、ガタなく確実に固定される。
【００３１】
このように、本実施例では、ブレ補正動作を行わないときには、ブレ補正レンズ２及び可動レンズ枠１７が確実に固定されるので、撮影途中にブレ補正レンズ２及び可動レンズ枠１７が移動して像ブレを発生してしまうことを防止できる。
また、本実施例の手動ロック機構３０は、ブレ補正レンズ２を保持する可動レンズ枠１７に設けられた係合孔１７４にロックピン３１を係合させることにより可動レンズ枠１７を機械的にロックさせる方法なので、レンズユニットを大型化することなく、部品点数も少なくできる。
【００３２】
（変形例）
以上説明した実施例に限定されることなく、種々の変形や変更が可能であって、それらも本発明の均等の範囲内である。
（１）本実施例において、ロック機構を２箇所に設けた例を示したが、これに限らず、例えば、ロック機構を１箇所のみとしてもよい。
【００３３】
（２）本実施例において、弾性部材であるロックピンゴム４１が移動する例を示したが、これに限らず、例えば、弾性部材に対して係合孔等の凹部を有した部材が移動する構成であってもよい。
【００３４】
（３）本実施例において、ロックピン３１と一体で移動するようにロックピンゴム４１が設けられている例を示したが、これに限らず、例えば、ロックピンゴム４１に相当する弾性部材が他のロック機構とは独立して動作するようにしてもよい。
【００３５】
（４）本実施例において、交換レンズ１００とカメラ本体２００とを備えたレンズ交換式のカメラシステムを例に挙げて説明したが、これに限らず、例えば、レンズ交換できないカメラシステムであってもよい。
【図面の簡単な説明】
【００３６】
【図１】本実施例のカメラシステムの概要を説明する図である。
【図２】ブレ補正レンズ２及び可動レンズ枠１７を被写体側から見た図である。
【図３】ブレ補正レンズユニットを図２中に示したＡＡ断面で切断した断面図である。
【図４】ブレ補正レンズユニットを図２中に示したＢＢ断面で切断した断面図である。
【図５】本実施例の手動ロック機構３０のロック状態における係合孔１７４付近を拡大した図である。
【図６】図５中に示した範囲Ｃをさらに拡大して模式的に示した図である。
【符号の説明】
【００３７】
３０：手動ロック機構、３１：ロックピン、３２：ロックピン付勢バネ、４１：ロックピンゴム、１００：交換レンズ、２００：カメラ本体
【図１】
2007199293.tif 000003
【図２】
2007199293.tif 000004
【図３】
2007199293.tif 000005
【図４】
2007199293.tif 000006
【図５】
2007199293.tif 000007
【図６】
2007199293.tif 000008